(57)【要約】  【課題】  料金所ゲートで従事する人員を低減すること。  【解決手段】  通信回線１０を介して料金所監視装置３から有料道路の出入り口の動画を収集する収集部２１と、動画を表示装置２に表示する表示部２２と、入力装置２の操作に対応する情報を出入り口に設置される料金所ゲートに送信して、料金所ゲートを車両が通行する通行可能車線数を制御する制御部２３とを備えている。  【選択図】  図１
2006227771.tif 000002
【特許請求の範囲】
【請求項１】
通信回線を介して料金所監視装置から有料道路の出入り口の動画を収集する収集部と、
前記動画を表示装置に表示する表示部と、
入力装置の操作に対応する情報を前記出入り口に設置される料金所ゲートに送信して、前記料金所ゲートを車両が通行する車線の通行可能車線数を制御する制御部
とを具備する遠隔監視装置。
【請求項２】
請求項１において、
前記料金所ゲートは、それぞれ、信号灯を備え、
前記制御部は、前記信号灯に点灯される色を変更して前記通行可能車線数を制御する
遠隔監視装置。
【請求項３】
有料道路の出入り口の動画を撮像する撮像部と、
通信回線を介して前記動画を遠隔監視装置に送信する送信部
とを具備する料金所監視装置。
【請求項４】
請求項３において、
前記出入り口に所定の現象が発生することを検出する検出部と、
前記動画より情報量が小さい圧縮動画に前記動画を圧縮する圧縮部とを更に具備し、
前記送信部は、
前記所定の現象が検出されないときに前記圧縮動画を前記遠隔監視装置に送信し、
前記所定の現象が検出されるときに前記動画を前記遠隔監視装置に送信する
料金所監視装置。
【請求項５】
有料道路の出入り口の動画を撮像する撮像部と、
前記出入り口に所定の現象が発生することを検出する検出部と、
前記動画より情報量が小さい圧縮動画に前記動画を圧縮する圧縮部と、
前記所定の現象が検出されないときに前記圧縮動画を記録装置に記録し、前記所定の現象が検出されるときに前記動画を前記記録装置に記録する記録部
とを具備する料金所監視装置。
【請求項６】
請求項５において、
通信回線を介して窓口端末から時間範囲を受信したときに、前記記録装置から前記時間範囲に対応する抽出動画を抽出し、前記通信回線を介して前記抽出動画を前記窓口端末に配信する配信部
を更に具備する料金所監視装置。
【請求項７】
請求項４〜請求項６のいずれかにおいて、
前記検出部は、前記料金所ゲートを通過する車両を検出する車両検出装置を用いて、
前記料金所ゲートを車両が通過するときに前記所定の現象が検出されると判別し、前記料金所ゲートを車両が通過しないときに前記所定の現象が検出されないと判別する
料金所監視装置。
【請求項８】
請求項４〜請求項６のいずれかにおいて、
前記検出部は、
前記所定の現象が発生しないときの前記出入り口の参照画像を記録するデータベースを参照して、
前記動画と前記参照画像との差分が所定の量より大きいときに前記所定の現象が検出されると判別し、
前記差分が前記所定の量より小さいときに前記所定の現象が検出されないと判別する
料金所監視装置。
【請求項９】
有料道路の出入り口の動画を撮像するステップと、
前記出入り口に所定の現象が発生することを検出するステップと、
前記動画より情報量が小さい圧縮動画に前記動画を圧縮するステップと、
前記所定の現象が検出されないときに前記動画を前記遠隔監視装置に送信し、前記所定の現象が検出されるときに、前記圧縮動画を前記遠隔監視装置に送信するステップ
とを具備する料金所監視方法。
【発明の詳細な説明】
【技術分野】
【０００１】
本発明は、料金所監視装置及び料金所監視方法に関し、特に、料金所ゲートを監視するときに利用される料金所監視装置及び料金所監視方法に関する。
【背景技術】
【０００２】
有料道路の料金を収受するときに利用される料金収受システムが知られている。図８は、公知の料金収受システムを示す。その料金収受システム１００は、料金所１１０と、料金事務所１２０と、料金所１１０に面して敷設される車両の進入路に備えられる信号灯１３０、車両台数計測機１４０および踏み板１５０を備えている。料金所１１０は、ブース収受機１１１、領収書発行機１１２、ハイウェイカード処理機１１３を備えている。料金事務所１２０は、データ入力機１２１、料金所集計処理装置１２２、無停電電源装置１２３、ハイウェイカード再発行機１２４を備えている。
【０００３】
次に、料金収受システム１００の動作原理について説明する。料金収受システム１００の料金所１１０に面して敷設される車両進入路に車両が進入してくると、車両の進入路に備えられる信号灯１３０により、当該車両の前方の車両の有無に基づいて車両の進入可否が制御される。そして、信号灯１３０により当該車両へ、料金所への進入が許可されると、料金所１１０において、収受員の操作入力による当該車両に対する料金収受作業が行われる。この際、料金所１１０内に設置されているブース収受機１１１、領収書発行機１１２、ハイウェイカード処理機１１３によるデータ処理が行われ、このデータは料金事務所１２０内に設置された料金所集計処理装置１２２へと送信される。そして、料金所集計処理装置１２２においては、受信した当該データに基づいて通行料の集計処理すると共に、図示せぬ車種判別装置と車両台数計測機１４０、および踏み板１５０により自動判別された車種および台数に基づく収受演算、あるいは図示せぬＥＴＣ読み取り装置から送信されてくる料金収受データに基づく収受演算が行われる。
【０００４】
料金所は、料金所ゲートに不都合が発生したときに、その不都合を解消したり、その不都合が有料道路または車両に悪影響を及ぼさないように車線を規制したりする作業者が従事している。料金所ゲートで従事する人員を低減することが望まれている。
【０００５】
料金所ゲートを監視するための動画は、たとえば、その料金所ゲートを通過していない車両に対して有料道路の料金が誤って請求されたときに、その車両がその料金所ゲートを通過したかどうか確認するために使用される。このとき、その動画は、連続して撮像されていることが望まれ、その車両がその料金所ゲートを通過する動画の解像度が高いことが望まれている。
【０００６】
特開２００３−２０３２５４号公報には、料金所出口において撮影された車両とその料金収受状況との映像、および対応する車両の識別番号を表示することによって、料金収受システムから遠隔配置された場所からでもこれら表示情報に基づいて料金計算条件を設定できるようにし、もって、通行券の内容に矛盾がある車両や、規定外料金が適用された車両に対しても料金収受システムによる迅速な通行料金の収受処理を可能とし、料金収受に要する時間の短縮化を図るとともに、収受監視員の負担の低減化を図ることが可能な有料道路の料金収受システム用監視盤が開示されている。その有料道路の料金収受システム用監視盤は、有料道路料金所出口に設けられた料金収受システムに適用される監視盤であって、前記有料道路料金所出口に到着した車両について画像処理装置によって認識された識別番号情報と、第１のカメラによって撮影された前記車両の画像情報と、第２のカメラによって撮影されたこの車両の料金収受動作の画像情報とを受信する情報受信手段と、複数の分割画面からなり、前記情報受信手段によって受信された車両の画像情報と、料金収受動作の画像情報とを、前記複数の分割画面のうちのいずれか２つからそれぞれ表示するとともに、前記情報受信手段によって受信された識別番号情報を、前記複数の分割画面のうちの何れかからスーパーインポーズ表示する表示手段とを備えている。
【０００７】
【特許文献１】特開２００３−２０３２５４号公報
【発明の開示】
【発明が解決しようとする課題】
【０００８】
本発明の課題は、料金所ゲートで従事する人員を低減する料金所監視装置及び料金所監視方法を提供することにある。
本発明の他の課題は、動画を伝送する通信回線のトラフィックを低減する料金所監視装置及び料金所監視方法を提供することにある。
本発明のさらに他の課題は、動画を記録する記録装置の記憶容量をより小さくする料金所監視装置及び料金所監視方法を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による遠隔監視装置（２）は、通信回線（１０）を介して料金所監視装置から有料道路の出入り口の動画を収集する収集部（２１）と、動画を表示装置（２）に表示する表示部（２２）と、入力装置の操作に対応する情報を出入り口に設置される料金所ゲートに送信して、料金所ゲートを車両が通行する車線の通行可能車線数を制御する制御部（２３）とを備えていることが好ましい。料金所ゲートの管理者は、遠隔の地で遠隔監視装置（２）を用いて料金所ゲートを監視して通行可能車線数を制御することができ、料金所ゲートで従事する必要がない。このため、本発明による遠隔監視装置（２）によれば、料金所ゲートで従事する人員を低減することができる。
【００１１】
料金所ゲートは、車線毎に設けられ、それぞれ信号灯（４）を備えている。このとき、制御部（２３）は、信号灯（４）の点灯される色を変更して通行可能車線数を制御することが好ましい。
【００１２】
本発明による料金所監視装置（３）は、有料道路の出入り口の動画を撮像する撮像部（１１）と、通信回線（１０）を介して動画を遠隔監視装置（２）に送信する送信部（１４）とを備えていることが好ましい。本発明による料金所監視装置（３）は、出入り口に所定の現象が発生することを検出する検出部（１２）と、動画より情報量が小さい圧縮動画に動画を圧縮する圧縮部（１３）とを更に備えている。このとき、送信部（１４）は、所定の現象が検出されないときに圧縮動画を遠隔監視装置（２）に送信し、所定の現象が検出されるときに動画を遠隔監視装置（２）に送信する。本発明による料金所監視装置（３）は、通信回線（１０）のトラフィックを低減することができる。
【００１３】
本発明による料金所監視装置（３）は、有料道路の出入り口の動画を撮像する撮像部（１１）と、出入り口に所定の現象が発生することを検出する検出部（１２）と、動画より情報量が小さい圧縮動画に動画を圧縮する圧縮部（１３）と、所定の現象が検出されないときに圧縮動画を記録装置（９）に記録し、所定の現象が検出されるときに動画を記録装置（９）に記録する記録部（１５）とを備えている。本発明による料金所監視装置（３）は、記録装置（９）に必要な記憶容量を低減することができ、記録装置（９）の記憶容量をより小さく設計することができる。
【００１４】
本発明による料金所監視装置（３）は、通信回線（１０）を介して窓口端末（５）から時間範囲を受信したときに、記録装置（９）から時間範囲に対応する抽出動画を抽出し、通信回線（１０）を介して抽出動画を窓口端末（５）に配信する配信部（１６）を更に備えていることが好ましい。
【００１５】
検出部（１２）は、料金所ゲートを通過する車両を検出する車両検出装置（２）を用いて、料金所ゲートを車両が通過するときに所定の現象が検出されると判別し、料金所ゲートを車両が通過しないときに所定の現象が検出されないと判別することが好ましい。
【００１６】
検出部（１２）は、所定の現象が発生しないときの出入り口の参照画像を記録するデータベースを参照して、動画と参照画像との差分が所定の量より大きいときに所定の現象が検出されると判別し、差分が所定の量より小さいときに所定の現象が検出されないと判別することが好ましい。
【００１７】
本発明による料金所監視方法は、有料道路の出入り口の動画を撮像するステップと、出入り口に所定の現象が発生することを検出するステップと、動画より情報量が小さい圧縮動画に動画を圧縮するステップと、通信回線（１０）を介して、所定の現象が検出されないときに動画を遠隔監視装置（２）に送信し、所定の現象が検出されるときに、圧縮動画を遠隔監視装置（２）に送信するステップとを備えていることが好ましい。本発明による料金所監視方法は、通信回線（１０）のトラフィックを低減することができる。
【発明の効果】
【００１８】
本発明による料金所監視装置及び料金所監視方法は、料金所ゲートで従事する人員を低減することができる。
【発明を実施するための最良の形態】
【００１９】
図面を参照して、本発明による料金所監視装置の実施の形態を記載する。その料金所監視装置３は、図１に示されているように、料金所監視システム１に適用されている。料金所監視システム１は、通信回線網１０を介して複数の情報処理装置（コンピュータ）が互いに双方向に情報を伝送することができるように接続されている。その複数の情報処理装置は、遠隔監視装置２と料金所監視装置３と料金所ゲート４と窓口端末５とから形成されている。通信回線網１０としては、公衆回線が例示される。その公衆回線としては、インターネット、電話回線網が例示される。通信回線網１０としては、さらに、不特定の端末に接続されない専用回線を適用することもできる。
【００２０】
料金所監視装置３と信号灯４とは、一般道から有料道路の出入り口である料金所ゲートが設置される料金所６に配置されている。その有料道路としては、高速道路、幹線橋梁、私道が例示される。その料金所ゲートは、ＥＴＣシステムに利用され、通過する車両に有料道路の料金を無線通信を用いて自動的に精算する。料金所監視装置３は、カメラ７と車両検知装置８と記録装置９とをそなえている。カメラ７は、その料金所ゲートの動画を撮像している。車両検知装置８は、その料金所ゲートを通過する車両の有無を検出している。車両検知装置８は、料金収受に利用される車種判別装置を適用することもできる。料金所６は、その出入り口が複数の車線を備えているときに、その車線毎に複数の料金所ゲートを設けられている。
【００２１】
信号灯４は、その料金所ゲート毎に設置され、赤信号と青信号とを備えている。信号灯４は、通信回線網１０を介して遠隔監視装置２から送信される情報に基づいてその赤信号と青信号とのうちの一方の信号を点灯する。信号灯４は、その赤信号と青信号とのうちの一方の信号を点灯することにより、出入り口の車線のうち車両が通行可能な車線を規制することができる。このような料金所６は、料金所監視システム１に複数が設けられることもできる。
【００２２】
遠隔監視装置２は、図示されていない表示装置と入力装置とを有するコンピュータであり、料金所６から遠隔の地に配置されている。遠隔監視装置２は、有料道路または料金所６を管理する管理者により使用される。その管理者は、料金所６の出入り口の車線のうち車両が通行可能な車線を規制する権利を有している。窓口端末５は、図示されていない表示装置と入力装置とを有するコンピュータであり、料金所６から遠隔の地に配置されている。窓口端末５は、ＥＴＣシステムにより有料道路の料金を精算する業者により使用される。
【００２３】
図２は、料金所監視装置３を示している。料金所監視装置３は、コンピュータプログラムである撮像部１１と検出部１２と圧縮部１３と送信部１４と記録部１５と配信部１６とを備えている。撮像部１１は、カメラ７により撮像された動画をカメラ７から収集する。検出部１２は、車両検知装置８によりその料金所ゲートに車両が通過することが検出されたかどうかを車両検知装置８から収集する。
【００２４】
圧縮部１３は、検出部１２により料金所ゲートに車両が通過することが検出されたときに、撮像部１１により収集された動画をデータ圧縮して圧縮動画を生成する。その圧縮動画は、撮像部１１により収集された動画と単位時間当たりのフレームのフレーム数が同じであり、撮像部１１により収集された動画より画素数が少なく、すなわち、撮像部１１により収集された動画より情報量が小さい。
【００２５】
送信部１４は、検出部１２により料金所ゲートに車両が通過することが検出されたときに、通信回線網１０を介して撮像部１１により収集された動画を遠隔監視装置２に送信する。送信部１４は、さらに、検出部１２により料金所ゲートに車両が通過することが検出されないときに、通信回線網１０を介して圧縮部１３により生成された圧縮動画を遠隔監視装置２に送信する。
【００２６】
記録部１５は、検出部１２により料金所ゲートに車両が通過することが検出されたときに、通信回線網１０を介して撮像部１１により収集された動画を記録装置９に録画する。記録部１５は、さらに、検出部１２により料金所ゲートに車両が通過することが検出されないときに、通信回線網１０を介して圧縮部１３により生成された圧縮動画を記録装置９に録画する。
【００２７】
配信部１６は、通信回線網１０を介して窓口端末５から料金所監視装置３に時間範囲が送信されてその時間範囲に撮像された料金所ゲートの動画を要求されたときに、記録装置９に記録されている動画のうちからその時間範囲に撮像された動画を抽出する。配信部１６は、さらに、通信回線網１０を介してその抽出された動画を窓口端末５に返信する。
【００２８】
図３は、遠隔監視装置２を示している。遠隔監視装置２は、コンピュータプログラムである収集部２１と表示部２２と制御部２３とを備えている。収集部２１は、通信回線網１０を介して料金所監視装置３から料金所ゲートの動画を収集する。表示部２２は、収集部２１により収集された動画を表示装置に表示する。制御部２３は、信号灯４に点灯される色（赤か青か）が入力装置により入力されたときに、通信回線網１０を介してその情報を信号灯７に送信する。
【００２９】
本発明による料金所監視方法は、料金所監視システム１により実行され、出入り口の動画を撮像する動作と通行可能車線数を制御する動作と撮像された動画を配信する動作とを備えている。
【００３０】
図４は、その出入り口の動画を撮像する動作を示している。この動作は、料金所監視装置３により常時に繰り返して実行される。料金所監視装置３は、カメラ７により撮像された動画をカメラ７から収集する（ステップＳ１）。料金所監視装置３は、車両検知装置８によりその料金所ゲートに車両が通過することが検出されたかどうかを車両検知装置８から収集する（ステップＳ２）。
【００３１】
料金所監視装置３は、料金所ゲートに車両が通過することが検出されたときに（ステップＳ２、ＹＥＳ）、カメラ７により撮像された動画を遠隔監視装置２に送信し（ステップＳ４）、その動画を記録装置９に録画する（ステップＳ５）。料金所監視装置３は、料金所ゲートに車両が通過することが検出されないときに（ステップＳ２、ＮＯ）、カメラ７により撮像された動画をデータ圧縮して圧縮動画を生成する（ステップＳ３）。料金所監視装置３は、料金所ゲートに車両が通過することが検出されないときに（ステップＳ２、ＮＯ）、さらに、データ圧縮された圧縮動画を遠隔監視装置２に送信し（ステップＳ４）、その圧縮動画を記録装置９に録画する（ステップＳ５）。
【００３２】
料金所ゲートを監視するための動画は、たとえば、その料金所ゲートを通過していない車両に対して有料道路の料金が誤って請求されたときに、その車両がその料金所ゲートを通過したかどうか確認するために使用される。このとき、その動画は、連続して撮像されていることが望まれ、その車両がその料金所ゲートを通過する動画の解像度がナンバープレートが読み取れる程度に高いことが望まれている。このような動作によれば、その動画は、連続して撮像され、その車両がその料金所ゲートを通過するときの動画の解像度が高く、好ましい。このような動作によれば、さらに、その車両がその料金所ゲートを通過しないときの動画の情報量が小さく、料金所監視装置３から遠隔監視装置２に動画を伝送する通信回線網１０のトラフィックを低減することができ、記録装置９に記録される動画の情報量を低減することができる。このため、記録装置９は、必要な記憶容量を低減することができ、記憶容量をより小さく設計することができる。
【００３３】
図５は、その通行可能車線数を制御する動作を示している。この動作は、遠隔監視装置２により常時に繰り返して実行される。遠隔監視装置２は、通信回線網１０を介して料金所監視装置３から送信される料金所ゲートの動画を収集し（ステップＳ１１）、その動画を表示装置に表示する（ステップＳ１２）。遠隔監視装置２のユーザは、有料道路の状況に基づいて、または、その動画に基づいてその料金所ゲートの信号灯４を識別する情報とその信号灯に点灯される色の情報とを遠隔監視装置２に入力する。遠隔監視装置２は、その識別された信号灯４にその色の情報を送信する。信号灯４は、その情報を受信すると、その情報に基づいて赤信号と青信号とのうちの一方の信号を点灯して出入り口の車線のうち車両が通行可能な車線を規制する（ステップＳ１４）。
【００３４】
たとえば、遠隔監視装置２のユーザは、有料道路に異常があるときに、または、その動画を参照して料金所ゲートに異常があると判断したときに、遠隔監視装置２を操作して、その料金所ゲートの信号灯４に赤信号を点灯させて通行可能な車線を規制することができる。
【００３５】
このような動作によれば、料金所ゲートの管理者は、遠隔の地で遠隔監視装置２を用いて料金所ゲートを監視して通行可能車線数を制御することができ、料金所ゲートで従事する必要がない。すなわち、このような動作によれば、料金所ゲートで従事する人員を低減することができる。
【００３６】
図６は、その撮像された動画を配信する動作を示している。料金所監視装置３と窓口端末５とにより実行される。窓口端末５のユーザは、所望の時間範囲を窓口端末５に入力する（ステップＳ２１）。窓口端末５は、その時間範囲が入力されると、その時間範囲を料金所監視装置３に送信して、その時間範囲の動画を要求する（ステップＳ２２）。料金所監視装置３は、その時間範囲を受信すること、記録装置に記録される動画のうちからその時間範囲に対応する動画を抽出する（ステップＳ２３）。料金所監視装置３は、その抽出された動画を窓口端末５に送信する（ステップＳ２４）。窓口端末５は、その動画を受信すると、その動画を表示装置に表示する（ステップＳ２５）。
【００３７】
窓口端末５のユーザは、たとえば、その料金所ゲートを通過していない車両に対して有料道路の料金が誤って請求されたときに、その車両が通過した時刻を含む時間範囲を窓口端末５に入力してその車両がその料金所ゲートを通過したかどうか確認することができる。
【００３８】
本発明による料金所監視装置の実施の他の形態は、既述の実施の形態における料金所監視装置３の車両検知装置８が状態検知装置に置換され、検出部１２が他の検出部に置換されている。その状態検知装置は、料金所ゲートの環境の状態を検出する。その状態としては、時刻、気象状態を示している。その検出部は、画像データベースを備えている。その画像データベース３１は、図７に示されているように、条件３２に対応付けて画像３３を記録している。条件３２は、料金所ゲートが配置される環境の状態を示し、たとえば、時刻、気象状態を示している。画像３３は、条件３２により識別される状態で撮像された料金所ゲートの画像を示している。
【００３９】
その検出部は、画像データベース３１を参照して、画像３３からその状態検知装置により検出された状態に対応する画像を抽出する。その検出部は、さらに、その抽出された画像とカメラ７により撮像された画像とを比較し、その差分が所定の値より大きいかどうかを判別する。
【００４０】
本発明による料金所監視方法の実施の他の形態は、このような料金所監視装置により実行され、既述の実施の形態における出入り口の動画を撮像する動作が他の動作に置換されている。その動作では、その料金所監視装置は、カメラ７により撮像された動画をカメラ７から収集する。その料金所監視装置は、画像データベース３１を参照して、画像３３からその状態検知装置により検出された状態に対応する画像を抽出する。その料金所監視装置は、さらに、その抽出された画像とカメラ７により撮像された画像とを比較し、その差分が所定の値より大きいかどうかを判別する。
【００４１】
その料金所監視装置は、その差分が所定の値より大きいときに、カメラ７により撮像された動画を遠隔監視装置２に送信し、その動画を記録装置９に録画する。その料金所監視装置は、その差分が所定の値より小さいときに、カメラ７により撮像された動画をデータ圧縮して圧縮動画を生成する。その料金所監視装置は、その差分が所定の値より小さいときに、データ圧縮された圧縮動画を遠隔監視装置２に送信し、その圧縮動画を記録装置９に録画する。
【００４２】
このような料金所監視方法によれば、既述の実施の形態における料金所監視方法と同様にして、その料金所監視装置から遠隔監視装置２に動画を伝送する通信回線網１０のトラフィックを低減することができ、記録装置９に記録される動画の情報量を低減することができ、記録装置９に必要な記憶容量を低減することができ、記録装置９の記憶容量をより小さく設計することができる。このような料金所監視方法によれば、さらに、車両が通過すること以外の異常な事象が起こったときにも、解像度が高い画像の動画を送信・記録することができる。
【図面の簡単な説明】
【００４３】
【図１】図１は、料金所監視システムを示すブロック図である。
【図２】図２は、本発明による料金所監視装置の実施の形態を示すブロック図である。
【図３】図３は、本発明による遠隔監視装置の実施の形態を示すブロック図である。
【図４】図４は、出入り口の動画を撮像する動作の実施の形態を示すフローチャートである。
【図５】図５は、通行可能車線数を制御する動作の実施の形態を示すフローチャートである。
【図６】図６は、撮像された動画を配信する動作の実施の形態を示すフローチャートである。
【図７】図７は、画像データベースを示す図である。
【図８】図８は、公知の料金収受システムを示す概略構成図である。
【符号の説明】
【００４４】
１  ：料金所監視システム
２  ：遠隔監視装置
３  ：料金所監視装置
４  ：信号灯
５  ：窓口端末
６  ：料金所
７  ：カメラ
８  ：車両検知装置
９  ：記録装置
１０：インターネット
１１：撮像部
１２：検出部
１３：圧縮部
１４：送信部
１５：記録部
１６：配信部
２１：収集部
２２：表示部
２３：制御部
３１：画像データベース
３２：条件
３３：画像
【図１】
2006227771.tif 000003
【図２】
2006227771.tif 000004
【図３】
2006227771.tif 000005
【図４】
2006227771.tif 000006
【図５】
2006227771.tif 000007
【図６】
2006227771.tif 000008
【図７】
2006227771.tif 000009
【図８】
2006227771.tif 000010